(57)【要約】【課題】液晶テレビジョン受像機において、簡素かつ低コストな構成でありながらも、第１面側と第２面側のうちいずれかの方向からも視認できるようにする。【解決手段】発光部３から出射された光を液晶パネル２に反射させる反射部材４を、液晶パネル２の第１面側又は第２面側に装着可能に構成し、反射部材４が装着された面とは反対側から画像を視認できるようにする。また、反射部材４が液晶パネル２の第１面側に装着されたとき、液晶駆動回路５は、液晶パネル２が左右反転した画像を表示できるように、液晶パネル２を駆動する。【選択図】図２
2008275984.tif 000002
【特許請求の範囲】
【請求項１】
印加された電圧に応じて特定の光を透過させて画像を表示する液晶セルが配列された液晶パネルと、この液晶パネルの４辺の端縁のうちいずれかの端縁の外側から光を照射する発光手段と、この発光手段から出射された光を前記液晶パネルに向けて反射させる反射部材と、前記液晶セルに駆動電圧を印加するための液晶駆動回路と、前記発光手段及び液晶駆動回路を制御する制御手段とを備えた液晶テレビジョン受像機において、
前記反射部材は、少なくとも前記液晶パネルの第1側及び第２面側のいずれかに選択的に配置可能であり、
前記反射部材が前記液晶パネルの第１面側に配置されたとき、前記液晶駆動回路は、前記液晶パネルが左右反転した画像を表示できるように、該液晶パネルを駆動し、該反射部材が配置された面とは反対側から画像を視認できるよう構成されていることを特徴とする液晶テレビジョン受像機。
【請求項２】
前記液晶パネルの上下端近傍において、該液晶パネル及び前記発光手段の周辺に沿って前記反射部材を移動可能にガイドするガイド溝をさらに備え、前記反射部材は、前記ガイド溝に沿って移動されることにより、前記液晶パネルの第１面側又は第２面側に配置されることを特徴とする請求項１に記載の液晶テレビジョン受像機。
【請求項３】
前記ガイド溝は、前記液晶パネルの第１面側において該液晶パネルに沿って形成された第１ガイド部と、該液晶パネルの第２面側において該液晶パネルに沿って形成された第２ガイド部と、前記発光手段の周辺に形成され、前記第１ガイド部及び第２ガイド部と連通される第３ガイド部と、前記発光手段とは反対側の前記液晶パネルの端縁の周辺において前記第１ガイド部及び第２ガイド部と連通される第４ガイド部と、前記第１ガイド部と前記第３ガイド部の連通部から前記発光手段の側の前記液晶パネルの端面に亘って形成された第５ガイド部と、前記第２ガイド部と前記第３ガイド部の連通部から前記発光手段の側の前記液晶パネルの端面に亘って形成された第６ガイド部とを有することを特徴する請求項２に記載の液晶テレビジョン受像機。
【請求項４】
前記第１ガイド部と前記第３ガイド部の連通部には、前記第３ガイド部から移動された反射部材を前記第５ガイド部の側に導くための第１逆止スイッチが設けられ、前記第２ガイド部と前記第３ガイド部の連通部には、前記第３ガイド部から移動された反射部材を前記第６ガイド部の側に導くための第２逆止スイッチが設けられていることを特徴とする請求項３に記載の液晶テレビジョン受像機。
【発明の詳細な説明】
【技術分野】
【０００１】
本発明は、液晶パネルの両面のいずれか一方を選択して画像表示が可能な液晶テレビジョン受像機に関するものである。
【背景技術】
【０００２】
近年、液晶テレビジョン受像機においては、大画面が急速に進展しつつある。また、ライフスタイルの変化により、一台のテレビジョン受像機でモニタ部の第１面側と第２面側の両側から鑑賞したいと希望するユーザも現れている。通常、テレビジョン受像機のモニタ部の第２面側から鑑賞するためには、テレビジョン受像機を１８０゜転回させる必要があるが、上述した大画面のテレビジョン受像機は、重量が重く取り回しが困難であるので、その向きを視聴者の位置に合わせて変更するのは困難であった。
【０００３】
ところで、従来から、移動体通信装置においては、液晶パネルの第１面側及び第２面側の両面から画像を表示する技術が検討されている。例えば、特許文献１及び２には、液晶パネルを第１領域と第２領域に区分して、それぞれの領域における反射部材又はバックライト等を液晶パネルを挟んで対称に配置した液晶表示装置が示されている。また、特許文献３には、２枚の液晶パネルを用いた液晶表示装置が示されている。
【特許文献１】特開２００１−２７７５６号公報
【特許文献２】特開２００４−３２５９６６号公報
【特許文献３】特開平９−９０３２５号公報
【発明の開示】
【発明が解決しようとする課題】
【０００４】
このような移動体通信装置に用いられている液晶表示装置の技術を液晶テレビジョン受像機に適用することも、理論上は可能である。しかしながら、上記特許文献１又は２に示された液晶表示装置にあっては、液晶パネルの面積のうち半分しか画像を表示できないので、装置の大きさの割に表示される画像が小さくなり、視聴者に満足を与えることができない。また、十分なサイズの画像を表示するためには、相応のサイズの液晶パネルが必要となり、コストアップを招来する。また、特許文献３に示された液晶表示装置においても、２枚の液晶パネルが必要となるため、上記と同様に装置のコストアップを招来する。
【０００５】
本発明は、上記課題を解決するためになされたものであり、簡素かつ低コストな構成でありながらも、第１面側と第２面側のうちいずれかの方向からも視認することのできる液晶テレビジョン受像機を提供することを目的とする。
【課題を解決するための手段】
【０００６】
上記目的を達成するために請求項１の発明は、
印加された電圧に応じて特定の光を透過させて画像を表示する液晶セルが配列された液晶パネルと、この液晶パネルの４辺の端縁のうちいずれかの端縁の外側から光を照射する発光手段と、この発光手段から出射された光を前記液晶パネルに向けて反射させる反射部材と、前記液晶セルに駆動電圧を印加するための液晶駆動回路と、前記発光手段及び液晶駆動回路を制御する制御手段とを備えた液晶テレビジョン受像機において、
前記反射部材は、少なくとも前記液晶パネルの第1側及び第２面側のいずれかに選択的に配置可能であり、
前記反射部材が前記液晶パネルの第１面側に配置されたとき、前記液晶駆動回路は、前記液晶パネルが左右反転した画像を表示できるように、該液晶パネルを駆動し、該反射部材が配置された面とは反対側から画像を視認できるよう構成されているものである。
【０００７】
請求項２の発明は、請求項１に記載の液晶テレビジョン受像機において、
前記液晶パネルの上下端近傍において、該液晶パネル及び前記発光手段の周辺に沿って前記反射部材を移動可能にガイドするガイド溝をさらに備え、前記反射部材は、前記ガイド溝に沿って移動されることにより、前記液晶パネルの第１面側又は第２面側に配置されるものである。
【０００８】
請求項３の発明は、請求項２に記載の液晶テレビジョン受像機において、
前記ガイド溝は、前記液晶パネルの第１面側において該液晶パネルに沿って形成された第１ガイド部と、該液晶パネルの第２面側において該液晶パネルに沿って形成された第２ガイド部と、前記発光手段の周辺に形成され、前記第１ガイド部及び第２ガイド部と連通される第３ガイド部と、前記発光手段とは反対側の前記液晶パネルの端縁の周辺において前記第１ガイド部及び第２ガイド部と連通される第４ガイド部と、前記第１ガイド部と前記第３ガイド部の連通部から前記発光手段の側の前記液晶パネルの端面に亘って形成された第５ガイド部と、前記第２ガイド部と前記第３ガイド部の連通部から前記発光手段の側の前記液晶パネルの端面に亘って形成された第６ガイド部とを有するものである。
【０００９】
請求項４の発明は、請求項３に記載の液晶テレビジョン受像機において、
前記第１ガイド部と前記第３ガイド部の連通部には、前記第３ガイド部から移動された反射部材を前記第５ガイド部の側に導くための第１逆止スイッチが設けられ、前記第２ガイド部と前記第３ガイド部の連通部には、前記第３ガイド部から移動された反射部材を前記第６ガイド部の側に導くための第２逆止スイッチが設けられているものである。
【発明の効果】
【００１０】
請求項１の発明によれば、液晶パネルの第２面側に反射部材を配置した場合には、第１面側から画像を視認することができ、液晶パネルの第１面側に反射部材を配置した場合には、第２面側から画像を視認することができる。これにより、一般的な液晶テレビジョン受像機にわずかな部品を追加するだけで、安価かつコンパクトな構成でありながらも、液晶パネルの両面のうち、択一的にいずれかの側から画像を視認できるようになる。また、反射部材が液晶パネルの第１面側に配置されたとき、液晶駆動回路は、液晶パネルが左右反転した画像を表示できるように、液晶パネルを駆動するので、液晶パネルの第２面側から視る場合においても、適正な画像を視認することができる。
【００１１】
請求項２の発明によれば、反射部材をガイド溝に沿って移動可能に構成されていることにより、容易に液晶パネルの第１面側及び第２面側のいずれか一方に選択的に配置させることができる。これより、請求項１に記載の液晶テレビジョン受像機の使い勝手をさらに高めることができる。
【００１２】
請求項３の発明によれば、液晶パネルの第２面側に反射部材を配置する場合、発光部材から液晶パネルの第１面側に出射された光を、第５ガイド部にガイドされて移動された反射部材の端部によって反射させることができる。これにより、発光部材から出射された光が液晶パネルの第１面側に漏れないようにすることができ、画像の視認性が高められる。同様に、液晶パネルの第１面側に反射部材を配置する場合、発光部材から液晶パネルの第２面側に出射された光を、第６ガイド部にガイドされて移動された反射部材の端部によって反射させることができる。これにより、発光部材から出射された光が液晶パネルの第２面側に漏れないようにすることができ、画像の視認性が高められる。
【００１３】
請求項４の発明によれば、第１ガイド部と第３ガイド部の連通部に第１逆止スイッチが設けられているので、第３ガイド部から移動された反射部材が第１ガイド部に進入することなく、確実に第５ガイド部の側に導かれる。同様に第２ガイド部と第３ガイド部の連通部に第２逆止スイッチが設けられているので、第３ガイド部から移動された反射部材が第２ガイド部に進入することなく、確実に第６ガイド部の側に導かれる。これにより、反射部材の端部を第５ガイド部又は第６ガイド部まで容易に移動させることができるようになる。
【発明を実施するための最良の形態】
【００１４】
本発明を実施するための一実施形態による液晶テレビジョン受像機について図面を参照して説明する。図１及び図２は液晶テレビジョン受像機の概略構成を示している。液晶テレビジョン受像機１は、その第１面側と第２面側から画像を視ることができる。図１は、ユーザが第１面側から見る場合、図２は、ユーザが第２面側から見る場合を示している。液晶テレビジョン受像機１は、画像を表示する液晶パネル２と、液晶パネル２に光を照射する発光部（発光手段）３と、発光部３から出射された光を液晶パネル２に向けて反射させる反射部材４と、液晶パネル２を駆動する液晶駆動回路５と、発光部３及び液晶駆動回路５を制御する制御部６等によって構成されている。
【００１５】
液晶パネル２には、印加された電圧に応じて特定の光を透過させて、画像を表示する液晶セルがマトリクス状に配列されている。発光部３は、液晶パネル２の４辺の端縁のうち、左右いずれかの端縁の外側に配設されている。反射部材４は、例えば、白色の板状部材によって構成され、液晶パネル２の第１面側又は第２面側のいずれかに装着される。図１に示すように、ユーザが液晶パネル２の第１面側から画像を見る場合には、反射部材４は、液晶パネル２の第２面側に装着される。一方、図２に示すように、ユーザが液晶パネル２の第２面側から画像を見る場合には、反射部材４は、液晶パネル２の第１面側に装着される。反射部材４がいずれの側に装着されているかは、反射部材検出部７によって検出され、制御部６に通知される。制御部６は、反射部材検出部７から出力される信号に基づいて反射部材４の装着位置を知り、それに応じて液晶駆動回路５を制御する。液晶駆動回路５は、液晶パネル２の液晶セルに駆動電圧を印加する。反射部材４が液晶パネル２の第１面側に装着されたとき、液晶駆動回路５は、液晶パネル２が左右反転した画像を表示できるように、例えば、制御部６によって左右反転された画像データに基づいて液晶パネル２を駆動する。
【００１６】
図３は、液晶テレビジョン受像機１の使用例を示している。液晶テレビジョン受像機１は、図３に示すように、二つの部屋を仕切る壁に埋め込んで設置することも可能である。同図においては、部屋Ａの側に反射部材４が装着され、部屋Ｂから画像を見ることができる。二部屋の会議室を仕切る壁に液晶テレビジョン受像機１を埋め込むことにより、いずれかの会議室において、液晶テレビジョン受像機１を用いたテレビジョン会議やプレゼンテーションを行うことができる。
【００１７】
図４は、他の実施形態の液晶テレビジョン受像機４１を示している。液晶テレビジョン受像機４１においては、反射部材４は、液晶パネル２及び発光部３の周辺に沿って移動可能に設けられている。この反射部材４は、白色のシート又は布によって構成されている。また、反射部材４は、短冊状の板部材をそれぞれ回動自在に連結することによって構成されたものであってもよい。反射部材４は、液晶パネル２及び発光部３の周辺に沿って形成されたガイド溝１０によってガイドされ、図４（ａ）に示す状態から、図４（ｂ）に示す状態を経て、図４（ｃ）に示す状態に移行する。ガイド溝１０は、液晶パネル２に沿って形成されている第１ガイド部１１、及び第２ガイド部１２と、発光部３の周辺に形成されている第３ガイド部１３と、発光部３とは反対側の液晶パネル２の端縁の周辺において形成されている第４ガイド部１４と、第３ガイド部１３から発光部３の側の液晶パネル２の端面に亘って形成された第５ガイド部１５及び第６ガイド部１６とを有している。第１ガイド部１１は、液晶パネル２の第１面側に形成され、第２ガイド部１２は、液晶パネル２の第２面側に形成されている。第３ガイド部１３及び第４ガイド部１４は、円弧状に形成され、第１ガイド部１１及び第２ガイド部１２と連通される。第５ガイド部１５は、第１ガイド部１１と第３ガイド部１３の連通部から液晶パネル２の端面に亘って形成されている。第６ガイド部１６は、第１ガイド部１２と第３ガイド部１３の連通部から液晶パネル２の端面に亘って形成されている。
【００１８】
図４（ａ）に示すように、反射部材４が第２ガイド部１２、第３ガイド部１３及び第５ガイド部１５にある場合、発光部３から出射された光が液晶パネル２の第１面側に漏れず、全て液晶パネル２の第２面側に反射される。同様に、図４（ｃ）に示すように、反射部材４が第１ガイド部１１、第３ガイド部１３及び第６ガイド部１６にある場合、発光部３から出射された光が液晶パネル２の第２面側に漏れず、全て液晶パネル２の第１面側に反射される。これにより、画像の視認性が高められる。
【００１９】
図５は、発光部３の周辺の構成を示している。同図において、（ａ）は液晶パネル２の第１面側に反射部材４を配置しようとしている状態、（ｂ）は液晶パネル２の第２面側に反射部材４を配置しようとしている状態を示している。第１ガイド部１１と第３ガイド部１３の連通部には、第１逆止スイッチ２１が、第２ガイド部１２と第３ガイド部１３の連通部には、第２逆止スイッチ２２がそれぞれ設けられている。第１逆止スイッチ２１は、第１ガイド部１１の側の端部において回動自在に支持され、第３ガイド部１３の側の端部においてばね部材２３によって第３ガイド部１３の円弧の外側（径方向）に付勢されている。同様に、第２逆止スイッチ２２は、第２ガイド部１２の側の端部において回動自在に支持され、第３ガイド部１３の側の端部においてばね部材２４によって第３ガイド部１３の円弧の外側に付勢されている。このように、第１ガイド部１１と第３ガイド部１３の連通部に第１逆止スイッチ２１が設けられているので、第３ガイド部１３から矢印Ｘ１に沿って移動された反射部材４が第１ガイド部１１に進入することなく、確実に矢印Ｘ２に沿って第５ガイド部１５の側に導かれる。同様に第２ガイド部１２と第３ガイド部１３の連通部に第２逆止スイッチ２２が設けられているので、第３ガイド部１３から矢印Ｙ１に沿って移動された反射部材４が第２ガイド部１２に進入することなく、確実に矢印Ｙ２に沿って第６ガイド部１６の側に導かれる。これにより、反射部材４の端部を第５ガイド部１５又は第６ガイド部１６まで容易に移動させることができるようになる。
【００２０】
以上のように、本実施形態の液晶テレビジョン受像機１によれば、液晶パネル２の第２面側に反射部材４を装着した場合には、第１面側から画像を視認することができ、液晶パネル２の第１面側に反射部材４を装着した場合には、第２面側から画像を視認することができる。これにより、安価かつコンパクトな構成でありながらも、液晶パネル２の第１面側又は第２面側のうち、択一的にいずれかの側から画像を視認できるようになる。また、反射部材４が液晶パネル２の第１面側に装着されたとき、液晶駆動回路５は、液晶パネル２が左右反転した画像を表示できるように、液晶パネル２を駆動するので、液晶パネル２の第２面側から視る場合においても、適正な画像を視認することができる。また、反射部材４をガイド溝１０に沿って移動可能に構成されていることにより、容易に液晶パネル２の第１面側又は第２面側に位置させることができる。これより、液晶テレビジョン受像機１の使い勝手をさらに高めることができる。また、液晶パネル２の第２面側に反射部材４を配設する場合、発光部材３から液晶パネル２の第１面側に出射された光を、第５ガイド部１５にガイドされて移動された反射部材４の端部によって反射させることができる。これにより、発光部材３から出射された光が液晶パネル２の第１面側に漏れないようにすることができ、画像の視認性が高められる。同様に、液晶パネル２の第１面側に反射部材４を配設する場合、発光部材３から液晶パネル２の第２面側に出射された光を、第６ガイド部１６にガイドされて移動された反射部材４の端部によって反射させることができる。これにより、発光部材３から出射された光が液晶パネル２の第２面側に漏れないようにすることができ、画像の視認性が高められる。また、第１ガイド部１１と第３ガイド部１３の連通部に第１逆止スイッチ２１が設けられているので、第３ガイド部１３から移動された反射部材４が第１ガイド部１１に進入することなく、確実に第５ガイド部１５の側に導かれる。同様に第２ガイド部１２と第３ガイド部１３の連通部に第２逆止スイッチ２２が設けられているので、第３ガイド部１３から移動された反射部材４が第２ガイド部１２に進入することなく、確実に第６ガイド部１６の側に導かれる。これにより、反射部材４の端部を第５ガイド部１５又は第６ガイド部１６まで容易に移動させることができるようになる。
【００２１】
なお、本発明は上記実施形態の構成に限られることなく、少なくとも反射部材４が液晶パネル２の第１面側又は第２面側に装着可能であり、反射部材４が装着された面とは反対側から画像を視認できるように構成されていればよい。また、発光部３は、液晶パネル２の左右方向のいずれかの端部に配置したがこれに限定されるものではなく、上下方向のいずれかの端部に配置してもよい。
【図面の簡単な説明】
【００２２】
【図１】本発明の一実施形態による液晶テレビジョン受像機の概略構成を示す図。
【図２】液晶パネルの第２面側から、画像を見る場合の液晶テレビジョン受像機を示す図。
【図３】本液晶テレビジョン受像機の使用例を示す図。
【図４】本発明のさらに別の実施形態による液晶テレビジョン受像機を示す平面図。
【図５】発光部の周辺の構成を示す平面図。
【符号の説明】
【００２３】
１、４１    液晶テレビジョン受像機
２    液晶パネル
３    発光部（発光手段）
４    反射部材
５    液晶駆動回路
６    制御部
１０    ガイド溝
１１    第１ガイド部
１２    第２ガイド部
１３    第３ガイド部
１４    第４ガイド部
１５    第５ガイド部
１６    第６ガイド部
２１    第１逆止スイッチ
２２    第２逆止スイッチ
【図１】
2008275984.tif 000003
【図２】
2008275984.tif 000004
【図３】
2008275984.tif 000005
【図４】
2008275984.tif 000006
【図５】
2008275984.tif 000007